(57)【要約】【課題】ブローバイガスから油分を補集する機能を高めることを、簡単な構造で実現する。【解決手段】シリンダブロック１に形成した第１ブローバイガス通路１７と、シリンダヘッド２に形成した第２ブローバイガス通路１８とが水平方向にオフセットされており、両者は、シリンダブロック１とシリンダヘッド２との合わせ面に形成された第３ブローバイガス通路１９を介して連通している。かつ、第２ブローバイガス通路１８は、下向き部１８ａと上向き部１８ｂとが横向き部１８ｃで接続されたクランク状になっている。ブローバイガスがブローバイガス通路の各曲がり部に衝突して方向変換するため、シリンダブロック１とシリンダヘッド２とを通過する過程でも油分が効率良く補集される。【選択図】図４
2019027323.tif 000002
【特許請求の範囲】
【請求項１】
シリンダブロックとその上面に固定されたシリンダヘッドとを備えており、前記シリンダブロックには、クランク室に吹き抜けたブローバイガスが流入する上下長手の第１ブローバイガス通路が形成されて、前記シリンダヘッドには、前記第１ブローバイガス通路に連通した上下長手の第２ブローバイガス通路が形成されている構成であって、
前記第１ブローバイガス通路と第２ブローバイガス通路とを水平方向にオフセットさせることにより、シリンダブロックとシリンダヘッドとのブローバイガス通路を全体としてクランク状に曲がった形状に形成すること、
前記第１ブローバイガス通路を、上部と下部とが水平方向にオフセットされたクランク状に曲がった形状に形成すること、
前記第２ブローバイガス通路を、上部と下部とが水平方向にオフセットされたクランク形状に曲がった形状に形成すること、
のうちの少なくとも１つを備えている、
内燃機関。
【発明の詳細な説明】
【技術分野】
【０００１】
本願発明は内燃機関に関するものであり、ブローバイガスの処理構造（オイルミストの補集構造）に特徴を有している。
【背景技術】
【０００２】
内燃機関において、クランク室に吹き抜けたブローバイガスはブローバイガス通路を介して吸気系に還流するようになっているが、ブローバイガスにはオイルミストが混入しているため、ブローバイガス通路の途中に気液分離室を設けてオイルを分離している。
【０００３】
一般に、ブローバイガスの気液分離室はヘッドカバーに設けていることが多く、クランク室に吹き抜けたブローバイガスは、シリンダブロックからシリンダヘッドを通ってヘッドカバーの気液分離室（ブリーザ室）に導かれており（例えば特許文献１）、従って、シリンダブロックとシリンダヘッドとには、上下長手のブローバイガス通路が形成されている。
【先行技術文献】
【特許文献】
【０００４】
【特許文献１】特開平１１−２２３１１８号公報
【発明の概要】
【発明が解決しようとする課題】
【０００５】
シリンダブロックとシリンダヘッドとにブローバイガス通路が形成すると、別体のパイプを使用する場合に比べて構造が簡単になるが、従来は、シリンダブロックとシリンダヘッドとのブローバイガス通路は一連に繋がっていて単にブローバイガスが上向きに流れるに過ぎず、気液分離（油分の補集）は専らヘッドカバーの気液分離室で行われている。このため、気液分離室を小型化が難しくなる問題や、ブローバイガスの発生量が多いとオイル補集性能が低下することが懸念されるといった問題があった。
【０００６】
本願発明はこのような現状に鑑み成されたものであり、シリンダブロックやシリンダヘッドに形成されているブローバイガス通路を有効利用して気液分離を促進せんとするものである。
【課題を解決するための手段】
【０００７】
本願発明の内燃機関は、シリンダブロックとその上面に固定されたシリンダヘッドとを備えており、前記シリンダブロックには、クランク室に吹き抜けたブローバイガスが流入する上下長手の第１ブローバイガス通路が形成されて、前記シリンダヘッドには、前記第１ブローバイガス通路に連通した上下長手の第２ブローバイガス通路が形成されている、という基本構成である。
【０００８】
そして、上記基本構成において、
i）前記第１ブローバイガス通路と第２ブローバイガス通路とを水平方向にオフセット
させることにより、シリンダブロックとシリンダヘッドとのブローバイガス通路を全体としてクランク状に曲がった形状に形成すること、
ii）前記第１ブローバイガス通路を、上部と下部とが水平方向にオフセットされたクラ
ンク状に曲がった形状に形成すること、
iii）前記第２ブローバイガス通路を、上部と下部とが水平方向にオフセットされたクランク形状に曲がった形状に形成すること、
のうちの少なくとも１つを備えている。なお、本願発明における「クランク状」には、３つ以上の曲がり部を含む形態（例えば階段状の形態）なども含まれる。端的には、クランク状は、複数の曲がり部を有する形態の総称である。
【０００９】
ブローバイガス通路をクランク状に形成すると、中途高さには水平状等の横長部分が存在するが、横長の部分は、ブローバイガスの流れの上流側に向けて低くなるように傾斜させるのが好ましい。横長部分を傾斜させる手段として、機関本体の傾斜（スラント姿勢）を利用して実現することもできる。
【発明の効果】
【００１０】
本願発明では、シリンダブロックとシリンダヘッドとの形成したブローバイガス通路のうち全体又は一部が、２つの曲がり部を有するクランク状に形成されているため、ブローバイガスが曲がり部を通過するときの衝突作用により、ブローバイガス通路の内面にオイルが付着する。すなわち、曲がり部が邪魔板（バッフルプレート）と同じ作用を果たす。これにより、ブローバイガス通路自体で油分を補集し下方に伝い流すことができる。
【００１１】
その結果、ヘッドカバー等に設ける気液分離室を小型化することができると共に、高速回転域等でブローバイガスが大量に発生しても油分を的確に補集して、オイルの消費を抑制することができる。
【００１２】
本願発明は、ブローバイガス通路をクランク状に形成することについて３つの態様を含んでいるが、シリンダブロックのブローバイガス通路とシリンダヘッドのブローバイガス通路とを水平方向にオフセットした場合は、シリンダブロックとシリンダヘッドとの合わせ面に溝を形成して横長の第３ブローバイガス通路を形成したらよい。
【００１３】
この場合、第３ブローバイガス通路となる溝は、シリンダブロックの上面又はシリンダヘッドの下面、若しくは両方に形成したらよいが、溝は鋳造によって形成できるため、加工の手間を省くことができる（もとより、溝をフライス加工等の後加工で形成することは可能である。）。
【００１４】
シリンダブロックのブローバイガス通路をクランク状に形成する場合も、シリンダヘッドのブローバイガス通路をクランク状に形成する場合も同様であり、鋳造によって形成しておくと、加工の手間を無くして製造コストを抑制することができる。
【００１５】
また、シリンダブロックのブローバイガス通路とシリンダヘッドのブローバイガス通路とを水平方向にオフセットした場合は、シリンダヘッドのブローバイガス通路は、例えばシリンダヘッドの前部又は後部のうち一対のカム軸の間の部位など任意の位置に形成できる。従って、シリンダヘッドのブローバイガス通路は、第１ブローバイガス通路の位置に規制されることなく、他の部材の邪魔にならない位置に形成できる。このため、設計の自由性を向上させることができる。
【図面の簡単な説明】
【００１６】
【図１】内燃機関をクランク軸線方向から見た正面図である。
【図２】（Ａ）はシリンダブロックの部分的な平面図、（Ｂ）はシリンダヘッドの部分的な平面図である。
【図３】（Ａ）は要部の一部拡大正面図、（Ｂ）は（Ａ）のＢ−Ｂ視断面図、（Ｃ）は変形例の部分正面図である。
【図４】第２実施形態を示す図で、（Ａ）は要部平面図、（Ｂ）は（Ａ）のＢ−Ｂ視断面図、（Ｃ）は（Ａ）のＣ−Ｃ視断面図である。
【図５】（Ａ）は第３実施形態の正面図、（Ｂ）は第４実施形態の部分的な断面図である。
【発明を実施するための形態】
【００１７】
(1).第１実施形態の基本構造
次に、本願発明の実施形態を図面に基づいて説明する。本実施形態は自動車用内燃機関に具体化しており、まず、図１〜３の実施形態を説明する。内燃機関は、シリンダブロック１とその上面に固定されたシリンダヘッド２とを有しており、シリンダヘッド２の上面にはヘッドカバー３が固定されて、シリンダブロック１の下面にはオイルパン４が固定されている。
【００１８】
シリンダブロック１は、複数のシリンダボア５とこれらに連通して下向きに開口したクランク室６が形成されており、下部には、クランクキャップ７を介してクランク軸８が回転自在に保持されている。クランク軸８の前端部はシリンダブロック１の外側に突出しており、この露出した部分に主動スプロケット９が固定されている。他方、シリンダヘッド２の上面に部には一対のカム軸１０が回転自在に保持されており、カム軸１０に設けた従動スプロケット１１と主動スプロケット９とに、タイミングチェーン１２が巻き掛けられている。
【００１９】
スプロケット９，１１及びタイミングチェーン１２はフロントカバー（図示せず）で覆われており、カム軸１０のうちフロントカバーの外側に突出部分に、補機を駆動するためのクランクプーリ１３が固定されている。なお、内燃機関を車両のエンジンルームに搭載するにおいて、その姿勢には、クランク軸８が車両の左右方向を向くようにして配置する横置きと、クランク軸８が車両の前後方向を向くようにして配置する縦置きとがある。
【００２０】
シリンダヘッド２の長手側面のうち一方の面は、吸気マニホールドが固定された吸気側面になっており、他方の長手側面は、排気マニホールド１４が固定された排気側面になっており、排気マニホールド１４に触媒ケース１５が接続されて、触媒ケース１５には排気管１６が接続されている。内燃機関を車両のエンジンルームに横置きする場合、シリンダボア軸線を車両の前方に向けて倒した姿勢で配置すること（スラントさせること）がある。
【００２１】
(2).ブローバイガス通路
シリンダブロック１の前壁部のうち排気側に寄った端部に、クランク室６から立ち上がった上下長手（シリンダボア軸線方向に長手）の第１ブローバイガス通路１７が、上下に貫通した状態で形成されている。
【００２２】
また、シリンダヘッド２の前部のうち一対のカム軸１０の間の部位にも、上下長手（シリンダボア軸線方向に長手）の第２ブローバイガス通路１８が上下に貫通した状態に形成されている。なお、図２では、第１ブローバイガス通路１７及び第２ブローバイガス通路１８は、位置を判りやすくするため黒丸で表示している。図２（Ｂ）では、第１ブローバイガス通路１７はシリンダヘッド２で隠れているので、正確には点線の円として表示される。
【００２３】
第１ブローバイガス通路１７と第２ブローバイガス通路とは、横方向（クランク軸８及びカム軸１０と直交した方向）にオフセットされている（ずれている）ので、第１ブローバイガス通路１７の上端と第２ブローバイガス通路の下端とを繋ぐために、シリンダブロック１とシリンダヘッド２との合わせ面に第３ブローバイガス通路１９を形成している。
【００２４】
図３（Ｂ）のとおり、第３ブローバイガス通路１９は、シリンダブロック１の上面とシリンダヘッド２の下面とに形成された溝２０で構成されているが、溝２０は、シリンダブロック１のみまたはシリンダヘッド２のみに形成してもよい。また、両方に形成する場合、例えばシリンダブロック１の溝２０を深くするというように、深さを変えることも可能である。
【００２５】
シリンダブロック１とシリンダヘッド２との間にはガスケット（本実施形態では図示せず）が介在しているので、シリンダブロック１とシリンダヘッド２との両方に溝２０を形成する場合、ガスケットにも第３ブローバイガス通路１９に対応した長溝穴が形成される。
【００２６】
ヘッドカバー３は、動弁室を覆うように周壁を有する下向き開口の形態であるが、図１に模式的に示すように、上部に、バッフルプレート２１で仕切られた気液分離室２２が形成されている。気液分離室２２は迷路状等になっており、ブローバイガスが内面に衝突して油分が補集され、補集された油分は動弁室に滴下する。
【００２７】
シリンダヘッド２の後壁部には、第２ブローバイガス通路１８と気液分離室２２とを連通させる縦穴２３が形成されている。なお、第２ブローバイガス通路１８と気液分離室２２とを連通させずに、第２ブローバイガス通路１８から動弁室からに流入したブローバイガスと、フロントカバーで囲われた部位から上昇してきたブローバイガスとを、動弁室から気液分離室２２に導くことも可能である。
【００２８】
上記のように、シリンダブロック１とシリンダヘッド２とに形成されているブローバイガス通路１７，１８，１９は、全体として、角形の２つの曲がり部を有するクランク状の形態を成しているため、第１ブローバイガス通路１７から第３ブローバイガス通路１９に方向変換する過程と、第３ブローバイガス通路１９から第２ブローバイガス通路１８に方向変換する過程とで、ブローバイガス通路の内面に対するブローバイガスの接触性が高まるため、油分を効率良く補集することができる。なお、図３では、ブローバイガスの流れは白抜き矢印で示して、油分の流れは黒抜き矢印で表示している。
【００２９】
ブローバイガスは上昇する傾向を呈するため、第３ブローバイガス通路１９を通る過程では、第３ブローバイガス通路１９の上面との接触性が高くなっており、このため、油分が第３ブローバイガス通路１９の上面に付着する傾向も高くなっている。つまり、第３ブローバイガス通路１９もオイルの補集機能を有している。これらが相まって、ブローバイガスのオイル補集機能を大きく向上させることができる。その結果、気液分離室２２の小型化が可能になると共に、ブローバイガスが大量に発生しても油分をしっかりと補集することができる。
【００３０】
第３ブローバイガス通路１９で補集した油分は第１ブローバイガス通路１７に流下させる必要があるが、機関が排気側を前に倒したスラントタイプである場合は、第３ブローバイガス通路１９は、第１ブローバイガス通路１７との連通部が低くなるように傾斜するため、特段の対策を施さなくても、補集したオイルをオイルパン４に戻すことができる。
【００３１】
機関がシリンダボア５を鉛直姿勢にした縦型である場合は、第３ブローバイガス通路１９は水平姿勢になる。この場合は、第３ブローバイガス通路１９を、第１ブローバイガス通路１７との連通部が低くなるように傾斜させたらよい。その例として図３（Ｃ）の変形例では、シリンダブロック１及びシリンダヘッド２に形成した溝２０を傾斜姿勢に形成している。溝２０をシリンダブロック１のみ又はシリンダヘッド２のみに形成した場合は、深さを変えることによって、第３ブローバイガス通路１９を傾斜させたらよい。
【００３２】
(3).第２実施形態
図４に示す第２実施形態では、第１ブローバイガス通路１７と第２ブローバイガス通路１８とを水平方向にオフセットしつつ、第２ブローバイガス通路１８をクランク状に形成している。  
【００３３】
すなわち、まず、第２ブローバイガス通路１８は、シリンダヘッド２の下面に開口した下向き部１８ａと、シリンダヘッド２の上面に開口した上向き部１８ｂと、両者を連通させる横向き部１８ｃとで構成されている。各部分はドリル加工で形成されているが、横向き部１８ｃを構成するドリル穴はシリンダヘッド２の側面（実施形態では排気側面）に開口するため、端部（開口部）をプラグ２４で塞いでいる。なお、下向き部１８ａは便宜的に実線で表示しているが、これは判りやすくするための措置であり、実際には点線になる。
【００３４】
第２ブローバイガス通路１８の下向き部１８ａとシリンダブロック１の第１ブローバイガス通路１７とは、クランク軸線方向（カム軸方向）に少し離れており、従って、シリンダブロック１とシリンダヘッド２との合わせ面に形成された第３ブローバイガス通路１９は、クランク軸線方向に延びている。
【００３５】
この実施形態では、シリンダブロック１とシリンダヘッド２とに形成されたブローバイガス通路は、全体で４つの曲がり部を有しているため、油分の補集機能は格段に高くなっている。機関がシリンダボア５を鉛直姿勢にした縦型である場合は、第３ブローバイガス通路１９と横向き部１８ｃとを、ブローバイガスの流れの上流側に向けて低く傾斜させたらよい。
【００３６】
この実施形態では、第３ブローバイガス通路１９は、平面視でクランク軸線と平行になっているが、第３ブローバイガス通路１９をクランク軸線に対して傾斜させてもよい。つまり、第３ブローバイガス通路１９の平面視姿勢や長さは適宜設定できる。このため、第１ブローバイガス通路１７の位置と第２ブローバイガス通路１８との位置は、互いに規制されることなく自由に設定できる。第３ブローバイガス通路１９を平面視でＬ形等に形成することも可能であり、この場合は、ブローバイガス通路の曲がり部の数を更に増大できるため、油分の補集機能を更に向上できる。
【００３７】
(4).他の実施形態
図５（Ａ）に示す第３実施形態では、第３ブローバイガス通路１９を設けることによって第１ブローバイガス通路１７と第２ブローバイガス通路１８とをオフセットすることに加えて、第１ブローバイガス通路１７もクランク状に形成している。
【００３８】
すなわち、第１ブローバイガス通路１７の中途高さ部位に横長部分１７ａを設けることにより、第１ブローバイガス通路１７のうち下側部分１７ｂと上側部分１７ｃとを水平方向にオフセットして、第１ブローバイガス通路１７の全体をクランク状に曲がった形態に形成している。下側部分１７ｂと上側部分１７ｃとの高さは任意に設定できる。図示の形態は２段階に曲がっているが、３段階以上に曲げる（階段状に曲げる）こともできる。
【００３９】
第１ブローバイガス通路１７を後加工で形成する場合は、横長部分１７ａもドリル加工で形成してから、シリンダブロック１の外面に開口した端部をプラグ２４で塞いだらよい。実施形態のように第１ブローバイガス通路１７もクランク状に形成すると、油分の補集機能は一層高くなる。シリンダヘッド２の第２ブローバイガス通路１８をクランク状に形成することも可能である。第２実施形態と第３実施形態とを組み合わせることも可能である。
【００４０】
図５（Ｂ）に示す第４実施形態では、シリンダブロック１とシリンダヘッド２との両方に形成された溝２０によって第３ブローバイガス通路１９を形成するにおいて、シリンダブロック１とシリンダヘッド２との間に介在したガスケット２５に、通気穴２６を第３ブローバイガス通路１９の長手方向に沿って飛び飛びで形成している。
【００４１】
この第４実施形態では、第３ブローバイガス通路１９はガスケット２５によって上下に仕切られて、ブローバイガスは通気穴２６を通って下部から上部に流れるが、ガスケット２５が邪魔板の役割を果たすため、オイルの補集性を一層高くすることができる。
【００４２】
以上、本願発明の実施形態を説明したが、本願発明は他にも様々に具体化できる。例えば、第３ブローバイガス通路を設けずに、第１ブローバイガス通路のみ又は第２ブローバイガス通路のみをクランク状に形成することも可能である。また、第２ブローバイガス通路は、必ずしもヘッドカバーに設けた通路に連通させる必要はないのであり、動弁室に開口させることも可能である。気液分離室を、ヘッドカバーとは異なる部位に設けることも可能である。
【産業上の利用可能性】
【００４３】
本願発明は、内燃機関に具体化できる。従って、産業上利用できる。
【符号の説明】
【００４４】
１  シリンダブロック
２  シリンダヘッド
３  ヘッドカバー
４  オイルパン
６  クランク室
８  クランク軸
１７  第１ブローバイガス通路
１８  第２ブローバイガス通路
１８ａ  第２ブローバイガス通路の下向き部
１８ｂ  第２ブローバイガス通路の上向き部
１８ｃ  第２ブローバイガス通路の横向き部
１９  第３ブローバイガス通路
２１  バッフルプレート
２２  気液分離室
【図１】
2019027323.tif 000003
【図２】
2019027323.tif 000004
【図３】
2019027323.tif 000005
【図４】
2019027323.tif 000006
【図５】
2019027323.tif 000007